(57)【特許請求の範囲】
【請求項１】
放射線を遮蔽するための遮蔽体であって、
板状遮蔽材と、前記板状遮蔽材のおもて面に設けられたフックと、前記板状遮蔽材の裏面に設けられたフック受具とを備えており、
前記フックは、前記板状遮蔽材の前記おもて面に固定される固定部と、前記固定部から張り出す張出部と、前記張出部から前記おもて面と平行な方向に沿って延びる突出部とを備えており、
前記フック受具は、前記フックの突出部の裏側位置に取り付けられており、
前記フック受具には、厚み方向に隣り合う他の遮蔽体のフックが係止される
ことを特徴とする遮蔽体。
【請求項２】
前記板状遮蔽材は、２枚の遮蔽板からなり、
前記２枚の遮蔽板は、前記遮蔽板の面と平行な方向のうち横方向および縦方向の少なくとも一方向にずらされた状態で重ね合わせられている
ことを特徴とする請求項１に記載の遮蔽体。
【請求項３】
前記フック受具は、前記板状遮蔽材の前記裏面に固定される一対の固定部と、前記両固定部を繋ぐ断面コ字状の係止部とを備えている
ことを特徴とする請求項１または請求項２に記載の遮蔽体。
【請求項４】
前記フックおよび前記フック受具は、前記板状遮蔽材の上端部に設けられており、
前記板状遮蔽材は、２枚の遮蔽板からなり、
前記２枚の遮蔽板は、前記遮蔽板の面と平行な方向のうち少なくとも縦方向にずらされた状態で重ね合わせられており、
上方にずれた前記遮蔽板の下端部表面に、前記遮蔽板の下端よりも下方に突出する振止部材が設けられている
ことを特徴とする請求項１に記載の遮蔽体。
【請求項５】
前記遮蔽板は、２枚のスキン材にコア材が挟み込まれた両面クラッド構造の金属複合材からなり、
前記スキン材は、アルミニウム合金製板材からなるとともに、
前記コア材は、アルミニウム合金からなる母材に、タングステン粒子およびホウ素粒子の少なくとも一方が分散されてなる
ことを特徴とする請求項２に記載の遮蔽体。
【請求項６】
請求項１乃至請求項５のいずれか１項に記載の遮蔽体が、厚み方向に複数積層されてなる
ことを特徴とする遮蔽構造体。
【請求項７】
放射線を遮蔽するための遮蔽体が複数並べて取り付けられた遮蔽構造体であって、
前記遮蔽体は、板状遮蔽材と、前記板状遮蔽材のおもて面に設けられたフックと、前記板状遮蔽材の裏面に設けられたフック受具とを備えており、
前記フックは、前記板状遮蔽材の前記おもて面に固定される固定部と、前記固定部から張り出す張出部と、前記張出部から前記おもて面と平行な方向に沿って延びる突出部とを備えており、
前記フック受具は、前記フックの突出部の裏側位置に取り付けられており、
前記板状遮蔽材は、２枚の遮蔽板からなり、
前記２枚の遮蔽板は、前記遮蔽板の面と平行な方向のうち少なくとも横方向にずらされた状態で重ね合わせられており、  
横方向に隣り合う前記遮蔽体のうち、一方の前記遮蔽体のおもて面側の前記遮蔽板と、他方の前記遮蔽体の裏面側の前記遮蔽板とが重なり合って、隣り合う前記板状遮蔽材の前記おもて面同士が面一になっている
ことを特徴とする遮蔽構造体。
【請求項８】
放射線を遮蔽するための遮蔽体が複数並べて取り付けられた遮蔽構造体であって、
前記遮蔽体は、板状遮蔽材と、前記板状遮蔽材のおもて面に設けられたフックと、前記板状遮蔽材の裏面に設けられたフック受具とを備えており、
前記フックは、前記板状遮蔽材の前記おもて面に固定される固定部と、前記固定部から張り出す張出部と、前記張出部から前記おもて面と平行な方向に沿って延びる突出部とを備えており、
前記フック受具は、前記フックの突出部の裏側位置に取り付けられており、
前記板状遮蔽材は、２枚の遮蔽板からなり、
前記２枚の遮蔽板は、前記遮蔽板の面と平行な方向のうち少なくとも上下方向にずらされた状態で重ね合わせられており、  
上下方向に隣り合う前記遮蔽体のうち、上側に位置する前記遮蔽体の一方の前記遮蔽板の下端部と、下側に位置する前記遮蔽体の他方の前記遮蔽板とが重なり合って、隣り合う前記板状遮蔽材の前記おもて面同士が面一になっている
ことを特徴とする遮蔽構造体。
【請求項９】
放射線を遮蔽するための遮蔽体が複数並べて取り付けられた遮蔽構造体であって、
前記遮蔽体は、板状遮蔽材と、前記板状遮蔽材のおもて面に設けられたフックと、前記板状遮蔽材の裏面に設けられたフック受具とを備えており、
前記フックは、前記板状遮蔽材の前記おもて面に固定される固定部と、前記固定部から張り出す張出部と、前記張出部から前記おもて面と平行な方向に沿って延びる突出部とを備えており、
前記フック受具は、前記フックの突出部の裏側位置に取り付けられており、
前記板状遮蔽材は、２枚の遮蔽板からなり、
前記２枚の遮蔽板は、前記遮蔽板の面と平行な方向のうち横方向および上下方向にずらされた状態で重ね合わせられており、  
横方向に隣り合う前記遮蔽体のうち、一方の前記遮蔽体のおもて面側の前記遮蔽板と、他方の前記遮蔽体の裏面側の前記遮蔽板とが重なり合って、隣り合う前記板状遮蔽材の前記おもて面同士が面一になっており、
上下方向に隣り合う前記遮蔽体のうち、上側に位置する前記遮蔽体の一方の前記遮蔽板の下端部と、下側に位置する前記遮蔽体の他方の前記遮蔽板とが重なり合って、隣り合う前記板状遮蔽材の前記おもて面同士が面一になっている
ことを特徴とする遮蔽構造体。
【請求項１０】
前記遮蔽板の面と平行な方向のうち上下方向に隣り合う前記遮蔽体のうち、上側に位置する前記遮蔽体は、下側に位置する前記遮蔽体の上端面に載置されている
ことを特徴とする請求項８または請求項９に記載の遮蔽構造体。
【請求項１１】
請求項７乃至請求項１０のいずれか１項に記載の遮蔽構造体において、
少なくとも一部の前記遮蔽体が、厚み方向に複数積層されている
ことを特徴とする遮蔽構造体。
【請求項１２】
固定構造物の壁面または輸送構造体の壁面に取り付けられた壁用フックまたは壁用フック受具をさらに備えており、
前記壁面に対向する前記遮蔽体が、前記フック受具または前記フックを介して前記壁面に取り付けられている
ことを特徴とする請求項６乃至請求項１１のいずれか１項に記載の遮蔽構造体。
【発明の詳細な説明】
【技術分野】
【０００１】
本発明は、放射線を遮蔽するための遮蔽体及び遮蔽構造体に関する。
【背景技術】
【０００２】
従来、放射線を遮蔽するための遮蔽構造体は、例えば引用文献１に示すようなものがあった。特許文献１に記載された遮蔽構造体は、骨組フレーム体と、この骨組フレーム体に取り付けられる板状遮蔽材とを備えたものである。板状遮蔽材は、遮蔽板と、骨組フレーム体の水平部材に係止されるフックとを備えている。骨組フレーム体を、放射線を遮蔽する区画位置に設置して、水平部材に沿って板状遮蔽材を並べて係止することで、遮蔽壁を形成するようになっている。板状遮蔽材は、骨組フレーム体への設置を容易に行うために、板厚が薄くなっており、作業員が手作業で係止作業を行うことができる。
【先行技術文献】
【特許文献】
【０００３】
【特許文献１】特開２０１５−０９９０９８号公報
【発明の概要】
【発明が解決しようとする課題】
【０００４】
特許文献１に記載の遮蔽構造体は、除染作業者の簡易休憩所を囲む遮蔽壁や、放射性物質を仮保管するスペースを囲む遮蔽壁など、要求される放射線遮蔽性能が比較的低い場所で利用されるものである。この遮蔽構造体を、要求される放射線の遮蔽性能が高い場所（例えば汚染物質を含む瓦礫の集積所など、放射性物質を大量に保管した場所を囲む遮蔽壁）に適用しようとすると、遮蔽性能が不足する場合がある。遮蔽板の厚さを大きくすれば、放射線遮蔽性能を高めることはできるが、板状遮蔽材の重量が増加してしまうため、運搬や設置にかかる手間が増大してしまう問題があった。
【０００５】
このような観点から本発明は、運搬および設置が簡単に行えるとともに、必要な放射線遮蔽性能に応じて、板状遮蔽材の厚さをフレキシブルに変更することができる遮蔽体および遮蔽構造体を提供することを目的とする。
【課題を解決するための手段】
【０００６】
前記課題を解決するための請求項１に係る発明は、放射線を遮蔽するための遮蔽体であって、板状遮蔽材と、前記板状遮蔽材のおもて面に設けられたフックと、前記板状遮蔽材の裏面に設けられたフック受具とを備えており、前記フックは、前記板状遮蔽材の前記おもて面に固定される固定部と、前記固定部から張り出す張出部と、前記張出部から前記おもて面と平行な方向に沿って延びる突出部とを備えており、前記フック受具は、前記フックの突出部の裏側位置に取り付けられており、前記フック受具には、厚み方向に隣り合う他の遮蔽体のフックが係止されることを特徴とする遮蔽体である。
【０００７】
このような構成によれば、複数の遮蔽体を、厚み方向に容易に着脱することが可能となる。つまり、本発明によれば、必要な放射線遮蔽性能に応じて遮蔽体の枚数を調整することで、板状遮蔽材の厚さをフレキシブルに変更できる。また、遮蔽体単体の板状遮蔽材は一定厚さで重量が大きくないので、運搬や設置を容易に行える。
【０００８】
本発明に係る遮蔽体において、前記板状遮蔽材は、２枚の遮蔽板からなり、前記２枚の遮蔽板は、前記遮蔽板の面と平行な方向のうち横方向および縦方向の少なくとも一方向にずらされた状態で重ね合わせられているものが好ましい。このような構成によれば、一つの遮蔽体における遮蔽性能を高めるとともに、遮蔽体を上下または左右方向に並べる際に、隙間なく隣接させることができる。
【００１０】
さらに、本発明に係る遮蔽体において、前記フック受具は、前記板状遮蔽材の前記裏面に固定される一対の固定部と、前記両固定部を繋ぐ断面コ字状の係止部とを備えているものが好ましい。
【００１１】
これらの構成によれば、簡単なフックおよびフック受具の構造で容易に係止可能な構造とすることができる。
【００１２】
また、本発明に係る遮蔽体において、前記フックおよび前記フック受具は、前記板状遮蔽材の上端部に設けられており、前記板状遮蔽材は、２枚の遮蔽板からなり、前記２枚の遮蔽板は、前記遮蔽板の面と平行な方向のうち少なくとも縦方向にずらされた状態で重ね合わせられており、上方にずれた前記遮蔽板の下端部表面に、前記遮蔽板の下端よりも下方に突出する振止部材が設けられているものが好ましい。このような構成によれば、下方にずれた遮蔽板の下端部と振止部材との間に、下側に隣接する他の遮蔽体の上方にずれた遮蔽板の上端部を差し込むことができるので、遮蔽体の下端部が風などで振られるのを防止できる。
【００１３】
さらに、本発明に係る遮蔽体において、前記遮蔽板は、２枚のスキン材にコア材が挟み込まれた両面クラッド構造の金属複合材からなり、前記スキン材は、アルミニウム合金製板材からなるとともに、前記コア材は、アルミニウム合金からなる母材に、タングステン粒子およびホウ素粒子の少なくとも一方が分散されてなるものが好ましい。このような構成によれば、加工性および耐食性に優れた遮蔽板を容易に形成することができる。また、コア材の粉末材料をホウ素（Ｂ４Ｃ）粉末に変更することで、中性子線の遮蔽性能も確保できる。
【００１４】
前記課題を解決するための請求項６に係る発明は、請求項１乃至請求項５のいずれか１項に記載の遮蔽体が、厚み方向に複数積層されてなることを特徴とする遮蔽構造体である。
【００１５】
このような構成によれば、必要な放射線遮蔽性能に応じて、遮蔽体の枚数を調整することで、板状遮蔽材の厚さをフレキシブルに変更できる。また、遮蔽体単体の板状遮蔽材は一定厚さで重量が大きくないので、運搬や設置を容易に行える。
【００１６】
前記課題を解決するための請求項７に係る発明は、放射線を遮蔽するための遮蔽体が複数並べて取り付けられた遮蔽構造体であって、前記遮蔽体は、板状遮蔽材と、前記板状遮蔽材のおもて面に設けられたフックと、前記板状遮蔽材の裏面に設けられたフック受具とを備えており、前記フックは、前記板状遮蔽材の前記おもて面に固定される固定部と、前記固定部から張り出す張出部と、前記張出部から前記おもて面と平行な方向に沿って延びる突出部とを備えており、前記フック受具は、前記フックの突出部の裏側位置に取り付けられており、前記板状遮蔽材は、２枚の遮蔽板からなり、前記２枚の遮蔽板は、前記遮蔽板の面と平行な方向のうち少なくとも横方向にずらされた状態で重ね合わせられており、横方向に隣り合う前記遮蔽体のうち、一方の前記遮蔽体のおもて面側の前記遮蔽板と、他方の前記遮蔽体の裏面側の前記遮蔽板とが重なり合って、隣り合う前記板状遮蔽材の前記おもて面同士が面一になっていることを特徴とする遮蔽構造体である。
【００１７】
このような構成によれば、横方向に隣接する板状遮蔽材間の隙間を塞ぐことができる。また、複数の板状遮蔽材を厚み方向に積層すれば、必要な放射線遮蔽性能を得ることができる。また、遮蔽体単体の板状遮蔽材は一定厚さで重量が大きくないので、運搬や設置を容易に行える。
【００１８】
前記課題を解決するための請求項８に係る発明は、放射線を遮蔽するための遮蔽体が複数並べて取り付けられた遮蔽構造体であって、前記遮蔽体は、板状遮蔽材と、前記板状遮蔽材のおもて面に設けられたフックと、前記板状遮蔽材の裏面に設けられたフック受具とを備えており、前記フックは、前記板状遮蔽材の前記おもて面に固定される固定部と、前記固定部から張り出す張出部と、前記張出部から前記おもて面と平行な方向に沿って延びる突出部とを備えており、前記フック受具は、前記フックの突出部の裏側位置に取り付けられており、前記板状遮蔽材は、２枚の遮蔽板からなり、前記２枚の遮蔽板は、前記遮蔽板の面と平行な方向のうち少なくとも上下方向にずらされた状態で重ね合わせられており、上下方向に隣り合う前記遮蔽体のうち、上側に位置する前記遮蔽体の一方の前記遮蔽板の下端部と、下側に位置する前記遮蔽体の他方の前記遮蔽板とが重なり合って、隣り合う前記板状遮蔽材の前記おもて面同士が面一になっていることを特徴とする遮蔽構造体である。
【００１９】
このような構成によれば、上下方向に隣接する板状遮蔽材間の隙間を塞ぐことができる。また、複数の板状遮蔽材を厚み方向に積層すれば、必要な放射線遮蔽性能を得ることができる。また、遮蔽体単体の板状遮蔽材は一定厚さで重量が大きくないので、運搬や設置を容易に行える。
【００２０】
前記課題を解決するための請求項９に係る発明は、放射線を遮蔽するための遮蔽体が複数並べて取り付けられた遮蔽構造体であって、前記遮蔽体は、板状遮蔽材と、前記板状遮蔽材のおもて面に設けられたフックと、前記板状遮蔽材の裏面に設けられたフック受具とを備えており、前記フックは、前記板状遮蔽材の前記おもて面に固定される固定部と、前記固定部から張り出す張出部と、前記張出部から前記おもて面と平行な方向に沿って延びる突出部とを備えており、前記フック受具は、前記フックの突出部の裏側位置に取り付けられており、前記板状遮蔽材は、２枚の遮蔽板からなり、前記２枚の遮蔽板は、前記遮蔽板の面と平行な方向のうち横方向および上下方向にずらされた状態で重ね合わせられており、横方向に隣り合う前記遮蔽体のうち、一方の前記遮蔽体のおもて面側の前記遮蔽板と、他方の前記遮蔽体の裏面側の前記遮蔽板とが重なり合って、隣り合う前記板状遮蔽材の前記おもて面同士が面一になっており、上下方向に隣り合う前記遮蔽体のうち、上側に位置する前記遮蔽体の一方の前記遮蔽板の下端部と、下側に位置する前記遮蔽体の他方の前記遮蔽板とが重なり合って、隣り合う前記板状遮蔽材の前記おもて面同士が面一になっていることを特徴とする遮蔽構造体である。
【００２１】
このような構成によれば、横方向に隣接する板状遮蔽材間の隙間を塞ぐことができるとともに上下方向に隣接する板状遮蔽材間の隙間を塞ぐことができる。また、複数の板状遮蔽材を厚み方向に積層すれば、必要な放射線遮蔽性能を得ることができる。また、遮蔽体単体の板状遮蔽材は一定厚さで重量が大きくないので、運搬や設置を容易に行える。
【００２２】
請求項８または請求項９に記載の遮蔽構造体において、前記遮蔽板の面と平行な方向のうち上下方向に隣り合う前記遮蔽体のうち、上側に位置する前記遮蔽体は、下側に位置する前記遮蔽体の上端面に載置されているものが好ましい。
また、請求項７乃至請求項１０のいずれか１項に記載の遮蔽構造体において、少なくとも一部の前記遮蔽体が、厚み方向に複数積層されているものが好ましい。このような構成によれば、所望の場所において、必要な放射線遮蔽性能を得ることができる。
【００２３】
請求項６乃至請求項１１のいずれか１項に記載の遮蔽構造体において、固定構造物の壁面または輸送構造体の壁面に取り付けられた壁用フックまたは壁用フック受具をさらに備えており、前記壁面に対向する前記遮蔽体が、前記フック受具または前記フックを介して前記壁面に取り付けられているものが好ましい。このような構成によれば、場所を選ばない、フレキシブルな遮蔽構造体を実現することができる。
【発明の効果】
【００２４】
本発明に係る遮蔽体および遮蔽構造体によれば、運搬および設置が簡単に行えるとともに、必要な放射線遮蔽性能に応じて、板状遮蔽材の厚さをフレキシブルに変更することができる。
【図面の簡単な説明】
【００２５】
【図１】本発明の実施形態に係る遮蔽体をおもて面側から示した斜視図である。
【図２】本発明の実施形態に係る遮蔽体を裏面側から示した斜視図である。
【図３】本発明の実施形態に係る遮蔽体を示した四面図であって、（ａ）は上面図、（ｂ）は正面図、（ｃ）は側面図、（ｄ）は裏面図である。
【図４】フックを示した三面図であって、（ａ）は上面図、（ｂ）は正面図、（ｃ）は側面図である。
【図５】フック受具を示した三面図であって、（ａ）は上面図、（ｂ）は正面図、（ｃ）は側面図である。
【図６】本発明の実施形態に係る遮蔽体を示した拡大側面図である。
【図７】本発明の実施形態に係る遮蔽構造体を示した斜視図である。
【図８】本発明の実施形態に係る遮蔽構造体を示した側面図である。
【図９】本発明の実施形態に係る遮蔽構造体を示した拡大側面図である。
【図１０】本発明の他の実施形態に係る遮蔽構造体を示した斜視図である。
【発明を実施するための形態】
【００２６】
以下に本発明の実施形態に係る遮蔽材および遮蔽構造体を、添付した図面を参照しながら詳細に説明する。本実施形態に係る遮蔽構造体は、汚染物質を含む瓦礫の集積所などの放射性物質を大量に保管した場所において、瓦礫の廃棄作業を行う際に、運搬機械等の操作を行うためのオペレータ室を囲む遮蔽壁に利用される。具体的には、瓦礫集積所の近傍に停車したトラックの荷室をオペレータ室として利用するものであって、遮蔽構造体は、トラックの荷室の壁の内側に設置されている。
【００２７】
図１乃至図３に示すように、遮蔽体１は、板状遮蔽材１０とフック２０とフック受具３０と振止部材４０とを備えている。以下の説明において、トラックの荷室に設置される遮蔽体１の室内に向く面を「おもて面１２」とし、壁面に対向する面を「裏面１３」とする。
【００２８】
板状遮蔽材１０は、放射線の遮蔽性能を備えた板材であって、２枚の遮蔽板１１，１１にて構成されている。２枚の遮蔽板１１，１１は、ともに同一外郭形状且つ同一厚さであって縦長矩形形状を呈している。なお、後記するように２枚の遮蔽板１１，１１は、オフセットして配置されるので、対応するボルト孔の位置がそれぞれ異なる。一方の遮蔽板１１は、他方の遮蔽板１１に対して、遮蔽板１１の幅方向（横方向）にオフセットしている。これによって、板状遮蔽材１０の幅方向両端部には、段差部１４がそれぞれ形成されている。段差部１４のオフセット距離は、たとえば１０ｍｍ程度である。さらに、一方の遮蔽板１１は、他方の遮蔽板１１に対して、遮蔽板１１の高さ方向（上下方向）にもオフセットしている。本実施形態では、おもて面１２側の遮蔽板１１が下方にオフセットしている。これによって、板状遮蔽材１０の上下方向両端部（上端部および下端部）には、段差部１５がそれぞれ形成されている。段差部１５のオフセット距離は、たとえば１０ｍｍ程度である。
【００２９】
なお、本実施形態では、２枚の遮蔽板１１，１１は、横方向および上下方向の二方向にずらされた状態で重ね合わせられているが、横方向および上下方向のいずれか一方向にずらされた状態で重ね合わせられていてもよい。
【００３０】
横方向に隣り合う板状遮蔽材１０，１０のうち、一方の板状遮蔽材１０の段差部１４と、他方の板状遮蔽材１０の段差部１４とが組み合わさることで、一方の板状遮蔽材１０のおもて面１２側の遮蔽板１１と、他方の板状遮蔽材１０の裏面１３側の遮蔽板１１とが重なり合う。そして、隣り合う板状遮蔽材１０，１０のおもて面１２の表面同士が面一になるとともに、裏面１３の表面同士が面一になる。
【００３１】
また、上下方向に隣り合う板状遮蔽材１０，１０のうち、一方の板状遮蔽材１０の段差部１４と、他方の板状遮蔽材１０の段差部１４とが組み合わさることで、一方の板状遮蔽材１０のおもて面１２側の遮蔽板１１と、他方の板状遮蔽材１０の裏面１３側の遮蔽板１１とが重なり合う。そして、隣り合う板状遮蔽材１０，１０のおもて面１２表面同士が面一になるとともに、裏面１３の表面同士が面一になる。
【００３２】
遮蔽板１１は、２枚のスキン材にコア材を挟み込んだ両面クラッド構造の金属複合材からなる。スキン材はアルミニウムとマグネシウムを備えたアルミニウム合金製板材からなり、コア材はアルミニウム粉末とタングステン粉末とを混合させてなる。遮蔽板１１は、板状遮蔽材１０として組み付けたときに作業員が人力で運搬可能な重量となる大きさになっている。具体的には、遮蔽板１１は、幅２８０ｍｍ、高さ６７０ｍｍ程度に形成されており、厚さ５ｍｍの場合に、１枚の重量が４．６ｋｇ程度となる。このような遮蔽板１１の重量であれば、２枚の遮蔽板１１，１１とフック２０およびフック受具３０を合わせて、遮蔽体１の総重量が１０ｋｇ程度となるので、人力で運搬可能である。なお、板状遮蔽材１０の形状や重量は一例であって、適宜変更可能である。
【００３３】
このような構成の遮蔽板１１を形成するに際しては、まず、アルミニウム合金を圧延してケース状に形成されたスキン材内に、アルミニウム粉末とタングステン粉末とを混合させた混合粉末材（コア材の原料）を充填する。このとき、タッピングを行いながら、コア材の空隙率を減少させる。その後、他方のスキン材で粉末を覆い、枠材で四周を囲む。その後、予熱、圧延、平坦化の手順で一体に熱間圧延する。このように、混合粉末材を熱間圧延して溶融化（金属化）することで、固まったコア材が形成される。最後に枠材を切断して、放射線の遮蔽性能を有する遮蔽板１１が形成される。これによって、コア材は、アルミニウム合金からなる母材に、タングステン粒子が分散された構成となる。このような遮蔽板１１では、コア材におけるタングステン粉末の混合量を増加すると、放射線の遮蔽性能が高くなる。なお、コア材に、ホウ素（Ｂ４Ｃ）粉末を追加すれば、さらに中性子線の遮蔽性能を付与することができる。また、ホウ素（Ｂ４Ｃ）粉末は、タングステン粉末に代えて、アルミニウム粉末に混合させてもよい。
【００３４】
フック２０は、板状遮蔽材１０のおもて面１２の上端部の横方向両端部の二箇所に設けられている。図４に示すように、フック２０は、例えばスチール製の板材を折曲げ加工して形成されている。フック２０は、固定部２１と張出部２２と突出部２３とを備えている。
【００３５】
固定部２１は、板状遮蔽材１０のおもて面１２に固定される部分である（図１および図３参照）。固定部２１は、正面視で矩形形状を呈しており、その四隅は面取りされて円弧形状になっている。固定部２１の四隅近傍の３箇所には、ボルト孔２４がそれぞれ形成されている。ボルト孔２４には、フック２０を板状遮蔽材１０に固定するためのボルトＢが挿通される。ボルトＢは、おもて面１２から裏面１３に向かって挿入され、裏面１３側からナットＮが螺合される（図４参照）。
【００３６】
張出部２２は、固定部２１の上端から直角に折り曲げられて、板状遮蔽材１０から離反する方向に張り出している。張出部２２の左右幅寸法は、固定部２１の左右幅寸法よりも小さくなっている。張出部２２は、固定部２１の左右幅方向中間部に形成されている。張出部２２の基端部の左右両端の固定部２１には、切欠き部２５が形成されており、張出部２２の折曲げ加工を行い易くして精度を高めている。
【００３７】
突出部２３は、張出部２２の先端から上方に向かって直角に折り曲げられている。突出部２３は、板状遮蔽材１０に取り付けられた状態で、おもて面１２と平行な方向に沿って延びる。突出部２３は、正面視で縦長の矩形形状を呈しており、上端の角部は面取りされて円弧形状になっている。
【００３８】
フック受具３０は、板状遮蔽材１０の裏面１３の上端部の横方向両端部の二箇所に設けられている。フック受具３０は、フック２０の突出部２３の裏側位置に取り付けられている。フック受具３０は、例えばスチール製の板材を折曲げ加工して形成されている。フック受具３０は、固定部３１と係止部３２とを備えている。
【００３９】
固定部３１は、板状遮蔽材１０の裏面１３に固定される部分であって、左右方向に間をあけて一対設けられている。固定部３１は、正面視で矩形形状を呈しており、外側端の角部は面取りされて円弧形状になっている。各固定部３１には、ボルト孔３３がそれぞれ形成されている。ボルト孔３３には、フック受具３０を板状遮蔽材１０に固定するためのボルトＢが挿通される。ボルトＢは、おもて面１２から裏面１３に向かって挿入され、裏面１３側からナットＮが螺合される（図４参照）。
【００４０】
係止部３２は、固定部３１，３１間に形成されており、両固定部３１，３１を繋いでいる。係止部３２は、平面方向に見て断面コ字状を呈している。係止部３２と板状遮蔽材１０とで断面矩形の空間が形成されている。この空間に、フック２０の突出部２３が挿通される。
【００４１】
なお、フック２０およびフック受具３０の板状遮蔽材１０への固定方法は、ボルトＢ・ナットＮに限定されるものではなく、溶接や接着等他の方法であってもよい。
【００４２】
振止部材４０は、板状遮蔽材１０の下端部の振れ止めを行うための部材である。図２，図３および図６に示すように、振止部材４０は、板状遮蔽材１０の下端部に設けられている。振止部材４０は、矩形形状の板材からなり、ボルトＢ・ナットＮにて板状遮蔽材１０に固定されている。振止部材４０は、上方にずれた遮蔽板１１（本実施形態では裏面１３側の遮蔽板１１）の下端部表面に固定されている。振止部材４０の上部は、板状遮蔽材１０に当接する固定部４０ａを構成している。固定部４０ａには、ボルト孔（図示せず）が形成されている。振止部材４０の下部は、裏面１３側の遮蔽板１１の下端よりも下方に突出する垂下部４０ｂを構成している。垂下部４０ｂと、おもて面１２側の遮蔽板１１との間には、隙間４３が構成されている。この隙間４３には、下方に隣接する板状遮蔽材１０の上方にずれた遮蔽板１１の上端部が入り込む（図９参照）。振止部材４０の固定部４０ａと遮蔽板１１との間には、板材４１が介設されていて、隙間４３の厚さ寸法が遮蔽板１１の厚さ寸法よりも大きくなっている。これによって、下方の遮蔽板１１の上端部と振止部材４０の垂下部４０ｂとの間には、板材４１の厚さ分のクリアランスが設けられるので、下方の遮蔽板１１の上端部が入り込むときに振止部材４０と干渉しない。したがって、遮蔽体１の設置作業を容易に行うことができる。
【００４３】
振止部材４０は、上下方向に並べられた遮蔽体１のうち、最下段に配置される遮蔽体１には設けなくてよい。図７に示すように、最下段に配置される遮蔽体１では、振止部材に代えて、下端部にフック２０とフック受具３０を設けるのが好ましい。フック２０は、板状遮蔽材１０のおもて面１２の下端部の横方向中間部の一箇所に設けられている。フック受具３０は、フック２０の突出部２３の裏側位置に取り付けられている。このような構成の遮蔽体１によれば、下側に遮蔽体１が隣り合わない遮蔽体１においても、厚み方向に隣り合う板状遮蔽材１０，１０の下端部同士が、フック２０とフック受具３０を介して係止されるので、下端部の振れ止めを行うことができる。
【００４４】
次に、遮蔽体１を用いて形成した遮蔽構造体２の構成を説明する。図７乃至図９に示すように、本実施形態に係る遮蔽構造体２は、遮蔽体１を厚み方向に複数積層して構成されている。また、遮蔽体１は、横方向および上下方向にも複数並べられている。なお、遮蔽体１は、横方向のみに並べられてもよいし（上下方向には一段のみ）、上下方向のみに並べられてもよい（横方向は一列のみ）。
【００４５】
本実施形態では、遮蔽体１は、汚染物質を含む瓦礫の廃棄作業を行う際に運搬機械等の操作を行うためのオペレータ室として利用されるトラックの荷室の壁３の内側に設置されている。遮蔽体１は、厚み方向に三枚積層されていて、上下方向に三段並べられている。壁３には、フック２０が取り付けられている。フック２０は、設置される遮蔽体１のフック受具３０に相当する位置に設けられている。つまり、図７に示すように、下側から一段目（最下段）の遮蔽体１が取り付けられる位置の壁３には、上側に二箇所、下側に一箇所のフック（壁用フック）２０が設けられており、下側から二段目と三段目の遮蔽体１が取り付けられる位置の壁３には、上側に二箇所のフック（壁用フック）２０が設けられている。壁用フックの形状は、フックの形状と同じである。
【００４６】
なお、遮蔽構造体２の組み立ては、トラックを所定位置に停車させた後に行うのが好ましい。トラックの走行前に組み立てると、走行時の振動の影響によって、遮蔽体１同士がぶつかり合ったり、これが原因の干渉音が生じたりする虞があるが、停車後に組み立てることによって、前記の現象を防止できるためである。
【００４７】
遮蔽体１を設置するに際しては、下側の一段目から二段目、三段目の遮蔽体１を順次設置して、一層目の遮蔽体１を積み上げ、さらに二層目、三層目を順次設置していく。図８にも示すように、まず、一層目における一段目の遮蔽体１の裏面１２側の各フック受具３０の係止部３２を、壁３の一段目位置の上側二箇所のフック２０，２０の突出部２３，２３と、下側一箇所のフック２０の突出部２３に、上方からそれぞれ落とし込む。このとき、板状遮蔽材１０は、床面４上に載置されて、遮蔽体１の荷重は、床面４に支持される。フック受具３０の係止部３２と、フック２０の張出部２２との間には、隙間が存在しており、フック２０とフック受具３０では、板状遮蔽材１０の荷重の伝達は行っていない。つまり、フック２０とフック受具３０では、厚み方向への係止のみを行っている。
【００４８】
次に、二段目の遮蔽体１の裏面１２側の各フック受具３０の係止部３２を、壁３の二段目位置の上側二箇所のフック２０，２０の突出部２３，２３に、上方からそれぞれ落とし込む。板状遮蔽材１０は、一段目の板状遮蔽材１０の上端面に載置されて、二段目の遮蔽体１の荷重は、下側の板状遮蔽材１０を介して床面４に支持される。
【００４９】
さらに、三段目の遮蔽体１の裏面１２側の各フック受具３０の係止部３２を、壁３の三段目位置の上側二箇所のフック２０，２０の突出部２３，２３に、上方からそれぞれ落とし込む。板状遮蔽材１０は、二段目の板状遮蔽材１０の上端面に載置されて、三段目の遮蔽体１の荷重は、下側の二段目および一段目の板状遮蔽材１０を介して床面４に支持される。
【００５０】
二層目においては、一層目の遮蔽体１のおもて面１２に設けられたフック２０に、二層目の遮蔽体１の裏面１３に設けられたフック受具３０を係止していく。三層目においては、二層目の遮蔽体１のおもて面１２に設けられたフック２０に、三層目の遮蔽体１の裏面１３に設けられたフック受具３０を係止していく。なお、二層目および三層目の各遮蔽体１の係止の作業手順は、一層目と同様である。
【００５１】
このとき、一段目の遮蔽体１では、板状遮蔽材１０の上下両端部においてフック受具３０がフック２０に係止されているので、遮蔽体１が振れるのを防止できる。二段目および三段目の遮蔽体１においては、板状遮蔽材１０の上端部は、フック受具３０がフック２０に係止されることで振れ止めが為されている。板状遮蔽材１０の下端部は、振止部材４０によって、振れ止めが為されている。具体的には、上方の遮蔽体１の下端部が、おもて面１２側に振れようとした際に、振止部材４０が、下方の遮蔽体１の裏面１３側の遮蔽板１１の上端部に当接するので、上方の遮蔽体１の下端部の移動（振れ）が規制される。これによって、振れ止めが為される。さらに、板材４１の厚さ寸法は、遮蔽板１１の厚さ寸法より小さいので、上方の遮蔽体１の下端部が、下方の遮蔽体１の上端部から離れることはない。したがって、上方の遮蔽体１が下方の遮蔽体１に載置された状態を常に確保されるので、上方の遮蔽体１が落下することはない。
【００５２】
また、上下方向に隣り合う板状遮蔽材１０，１０のうち、一方の板状遮蔽材１０の段差部１５と、他方の板状遮蔽材１０の段差部１５とが組み合わさることで、一方の板状遮蔽材１０のおもて面１２側の遮蔽板１１と、他方の板状遮蔽材１０の裏面１３側の遮蔽板１１とが重なり合う。つまり、段差部１５における遮蔽板１１の端部同士が厚み方向に重なり合うことで、板状遮蔽材１０，１０間に、厚み方向に通じる隙間が生じることを防止できるので、放射線を遮蔽することができる。また、隣り合う板状遮蔽材１０，１０のおもて面１２および裏面１３において、それぞれ表面同士が面一になるので、使い勝手が良好になるとともに、美観も向上する。さらに、横方向に隣り合う板状遮蔽材１０，１０においても、一方の板状遮蔽材１０の段差部１４と、他方の板状遮蔽材１０の段差部１４とが組み合わさることで、厚み方向に通じる隙間が生じることを防止できるので、同様の作用効果が得られる。  
【００５３】
以上のような遮蔽構造体２によれば、複数の遮蔽体１を、厚み方向に複数積層することで、必要な放射線遮蔽性能を確保することができる。また、本実施形態の遮蔽体１では、必要な放射線遮蔽性能に応じて、遮蔽体１の積層個数を任意に調整するができる。したがって、板状遮蔽材１０の厚さをフレキシブルに変更することができる。
【００５４】
さらに、遮蔽体１単体の板状遮蔽材１０は一定厚さで重量が大きくないので、運搬や設置を容易に行える。また、遮蔽体１の係止作業は、一方の遮蔽体１を上方から下降させて、フック２０とフック受具３０を係止させるだけで済むので非常に容易である。さらに、作業員が手作業で行うこともできるので、トラックの荷室内で、遮蔽体１の設置を容易に行うことができる。
【００５５】
次に、他の実施形態に係る遮蔽構造体２ａを、図１０を参照しながら説明する。前記実施形態の遮蔽構造体２では、遮蔽体１は、全面において三層積層されていたが、図１０に示した遮蔽構造体２ａは、一段目と二段目の遮蔽体１を三層構造とし、三段目の遮蔽体１を二層構造としている。これは、作業員が長時間座って作業を行う位置となる、一段目および二段目を三層構造として放射線遮蔽性能を高め、作業員への影響が少ない三段目を二層構造としている。これによって、必要な部分の放射線遮蔽性能を確保しつつ、遮蔽構造体２全体における遮蔽体１の使用個数を低減させることで、重量や費用を抑えることができる。
【００５６】
なお、図１０では、上下方向において遮蔽体１の積層数を変えているが、横方向において積層数を変えるようにしてもよい。例えば、端から二列は二層構造とし、それよりも内側は三層構造とするようにしてもよい。また、上下方向および横方向の両方において遮蔽体１の積層数を変えてもよい。
【００５７】
以上、本発明を実施するための形態について説明したが、本発明は前記実施形態に限定されず、本発明の趣旨を逸脱しない範囲で適宜設計変更が可能である。例えば、前記実施形態では、フック２０とフック受具３０は、厚み方向への係止のみを行っていて、板状遮蔽材１０の荷重の伝達は行っていないが、フック受具の係止部をフックの張出部に載置させて、板状遮蔽材１０の荷重の伝達を行うようにしてもよい。この場合、フックやフック受具に作用する荷重に応じて、各固定部２１，３１のボルト孔の数を決める。
【００５８】
また、前記実施形態では、フック２０の突出部２３が上方に延在していて、フック受具３０を上方から下降させることで、フック受具３０の係止部３２に、突出部２３が下側から差し込まれるようになっているが、これに限定されるものではない。フック２０の上下方向を逆になるように設置してもよい。つまり、フックの突出部が下方に延在するように、上下逆に設置する。この場合、壁には壁用フック受具が設けられ、遮蔽体のおもて面にはフック受具が設けられ、遮蔽体の裏面にフックが設けられる。壁用フック受具の形状は、フック受具の形状と同じである。そして、後から設置する遮蔽体を上方から下降させて、フック受具の係止部に、フックの突出部を上方から差し込むようにする。
【００５９】
さらに、前記実施形態では、板状遮蔽材１０の下端部に振止部材４０を設けているが、板状遮蔽材１０の側端部に振止部材を設けてもよい。この場合、板状遮蔽材１０の側面に形成された段差部１４を覆うように振止部材を設ける。このようにすれば、振止部材が固定された遮蔽体と逆側の遮蔽体と、振止部材との間に隙間が形成される。そして、この隙間に横方向に隣り合う遮蔽体の一方の遮蔽板が入り込んで、遮蔽体同士の振れ止めが為される。
【００６０】
また、前記実施形態では、遮蔽構造体２をトラックの荷室の壁３に設けているが、これに限定されるものではない。遮蔽構造体２は、建物などの固定構造物に設けてもよいし、仮設構造物に設けてもよい。さらに、前記実施形態では、トラックをオペレータ室として利用しているが、トラック本来の機能を発揮させて、放射性物質の運搬手段として利用してもよい。
【符号の説明】
【００６１】
１      遮蔽体
２      遮蔽構造体
２ａ    遮蔽構造体
１０    板状遮蔽材
１１    遮蔽板
１２    おもて面
１３    裏面
２０    フック
２１    固定部
２２    張出部
２３    突出部
３０    フック受具
３１    固定部
３２    係止部
４０    振止部材
【図１】
0006603547.tif 000002
【図２】
0006603547.tif 000003
【図３】
0006603547.tif 000004
【図４】
0006603547.tif 000005
【図５】
0006603547.tif 000006
【図６】
0006603547.tif 000007
【図７】
0006603547.tif 000008
【図８】
0006603547.tif 000009
【図９】
0006603547.tif 000010
【図１０】
0006603547.tif 000011